(57)【要約】【課題】水滴や汚れの混入を抑制しつつ持ち運び可能なディスペンサーを提供する。【解決手段】ディスペンサー１は、テーブル等に載置されるベース部２と、ベース部２に接合された収容部３と、を備えている。収容部３は、容器７を縦置きで収容可能で、容器７の取り出し口８に対応した位置にスリット３４が形成され、前面３２の上部３２ａが下部３２ｂに覆いかぶさるように傾斜した状態でベース部２に接合されている。【選択図】図１
2019131200.tif 000002
【特許請求の範囲】
【請求項１】
紙製品、不織布製品又はゴム製品を折り重ねた積層体が収容された容器を収容するディスペンサーであって、
ベース部と、
前記容器の取り出し口が水平方向に対して傾斜する縦置きで前記容器を収容可能で、前面の前記取り出し口に対応した位置にスリットが形成され、前記前面の上部が下部に覆いかぶさるように傾斜した状態で前記ベース部に接合された収容部と、
を備えていることを特徴とするディスペンサー。
【請求項２】
前記収容部は、下方にクリアランスを空けた状態でベース部に接合されていることを特徴とする請求項１記載のディスペンサー。
【請求項３】
前記ベース部の裏面に設けられた滑り止め部材をさらに備えていることを特徴とする請求項１又は２記載のディスペンサー。
【請求項４】
前記収容部に収容された前記容器を覆うカバーをさらに備えていることを特徴とする請求項１から３の何れか１項記載のディスペンサー。
【請求項５】
前記収容部内で前記容器を収容するスペースを拡縮可能なスペース調整手段をさらに備えていることを特徴とする請求項１から４の何れか１項記載のディスペンサー。
【請求項６】
前記収容部がベース部に対して傾斜する傾斜角度は、垂直方向に対して５〜４５度に設定されていることを特徴とする請求項１から５の何れか１項記載のディスペンサー。
【請求項７】
前記収容部がベース部に対して傾斜する傾斜角度は、垂直方向に対して１０〜１５度に設定されていることを特徴とする請求項６記載のディスペンサー。
【発明の詳細な説明】
【技術分野】
【０００１】
本発明は、紙製品、不織布製品又はゴム製品を重ねた積層体が収容された容器を収容するディスペンサーに関するものである。
【背景技術】
【０００２】
ティシュペーパー、ペーパータオル又はワイパー等の紙製品や不織布製品、又はゴム手袋等のゴム製品（以下、「紙等」と称す）を相互に重ね合わせてなる積層体は、紙製の容器に収容されたりプラスチック又は金属製の容器に充填される（例えば、特許文献１、２参照）。
【先行技術文献】
【特許文献】
【０００３】
【特許文献１】特許第５２０５１９６号公報
【特許文献２】特許第５５７９４９６号公報
【発明の概要】
【発明が解決しようとする課題】
【０００４】
しかしながら、濡れたテーブル等の上に紙製の容器をおくと、容器内の積層体に水分が染み込んでしまう虞があった。また、濡れたり汚れた手で紙等を取り出そうとすると、手から落ちた水滴や汚れが容器の天面に形成された取り出し口を介して積層体に混入する虞があった。
【０００５】
容器を壁面にネジ止め等で固定して紙等を水平に引き出せば、水分が容器を介して積層体に染み込んだり、水滴や汚れが取り出し口を介して混入することを抑制できるものの、容器の設置位置が固定されるため、紙等を使用する度に容器の設置場所まで移動しなければならないという問題があった。
【０００６】
そこで、水滴や汚れの混入を抑制しつつ持ち運び可能なディスペンサーを提供するために解決すべき技術的課題が生じてくるのであり、本発明はこの課題を解決することを目的とする。
【課題を解決するための手段】
【０００７】
上記目的を達成するために、本発明に係るディスペンサーは、紙製品、不織布製品又はゴム製品を折り重ねた積層体が収容された容器を収容するディスペンサーであって、ベース部と、前記容器の取り出し口が水平方向に対して傾斜する縦置きで前記容器を収容可能で、前面の前記取り出し口に対応した位置にスリットが形成され、前記前面の上部が下部に覆いかぶさるように傾斜した状態で前記ベース部に接合された収容部と、を備えている。
【０００８】
この構成によれば、容器は、収容部内に収容されるとともにベース部を介して所望の設置場所に置かれることにより、設置場所が濡れていても水分が容器に染み込むことを回避でき、また、ディスペンサーは設置場所に固定されずに容易に持ち運びできる。さらに、容器が縦置きでディスペンサーに収容されることにより、ディスペンサーを省スペースで設置することができる。
【０００９】
また、容器が前方に傾斜して収容されることにより、手から落ちた水滴や汚れの混入を抑制することができる。また、容器が縦置きでディスペンサーに収容されることにより、容器の取り出し口から立ち上がった紙等が自重で垂れにくいため、取り出し口の周囲に水滴や汚れが付着した場合であっても、この水滴や汚れが紙等に付着することを抑制できる。
【００１０】
また、本発明に係るディスペンサーは、前記収容部は、下方にクリアランスを空けた状態でベース部に接合されていることが好ましい。
【００１１】
この構成によれば、紙等を引き出すスペースが確保されるため、紙等をスムーズに引き出すことができる。
【００１２】
また、本発明に係るディスペンサーは、前記ベース部の裏面に設けられた滑り止め部材をさらに備えていることが好ましい。
【００１３】
この構成によれば、滑り止め部材が、紙等の引き出しに伴うディスペンサーの位置ズレを抑制するため、紙等をスムーズに引き出すことができる。
【００１４】
また、本発明に係るディスペンサーは、前記収容部に収容された前記容器を覆うカバーをさらに備えていることが好ましい。
【００１５】
この構成によれば、カバーが容器の全周を覆うため、容器の天面や側面から水が染み込むことを抑制できる。
【００１６】
また、本発明に係るディスペンサーは、前記収容部内で前記容器を収容するスペースを拡縮可能なスペース調整手段をさらに備えていることが好ましい。
【００１７】
この構成によれば、容器の厚みに応じて収容スペースを拡縮調整可能なため、紙等を引き出す反動で容器が収容部内でバタつくことを抑制できる。
【００１８】
また、本発明に係るディスペンサーは、前記収容部がベース部に対して傾斜する傾斜角度は、垂直方向に対して５〜４５度に設定されていることが好ましい。
【００１９】
この構成によれば、手から落ちた水滴や汚れが容器内に混入することを抑制できる。
【００２０】
また、本発明に係るディスペンサーは、前記収容部がベース部に対して傾斜する傾斜角度は、垂直方向に対して１０〜１５度に設定されていることが好ましい。
【００２１】
この構成によれば、紙等を安定して引き出せるとともに、紙等を引き出す際にディスペンサーが転倒することを抑制できる。
【発明の効果】
【００２２】
本発明は、設置場所が濡れていても水分が容器に染み込むことを抑制でき、さらにディスペンサーを容易に持ち運びできて所望の設置場所に省スペースで置くことができる。また、手から落ちた水滴や汚れが取り出し口を介して積層体に混入を抑制することができ、さらに取り出し口の周囲に着いた水滴や汚れが紙等に付着することを抑制できる。
【図面の簡単な説明】
【００２３】
【図１】本発明の一実施形態に係るディスペンサーを示す正面図及びＡ−Ａ線断面図。
【図２】ベース部及び収容部を示す斜視図。
【図３】ベース部及び収容部を示す正面図、Ｂ−Ｂ線断面図及びカバーを付けた状態を示す断面図。
【図４】カバーを示す斜視図。
【図５】収容スペースを縮小した状態を示す断面図。
【図６】容器を横置きにした状態を模式的に示す斜視図。
【発明を実施するための形態】
【００２４】
本発明の実施形態について図面に基づいて説明する。なお、以下では、構成要素の数、数値、量、範囲等に言及する場合、特に明示した場合及び原理的に明らかに特定の数に限定される場合を除き、その特定の数に限定されるものではなく、特定の数以上でも以下でも構わない。
【００２５】
また、構成要素等の形状、位置関係に言及するときは、特に明示した場合及び原理的に明らかにそうでないと考えられる場合等を除き、実質的にその形状等に近似又は類似するもの等を含む。
【００２６】
また、図面は、特徴を分かり易くするために特徴的な部分を拡大する等して誇張する場合があり、構成要素の寸法比率等が実際と同じであるとは限らない。また、断面図では、構成要素の断面構造を分かり易くするために、一部の構成要素のハッチングを省略することがある。
【００２７】
図１は、本発明の一実施形態に係るディスペンサー１を模式的に示す図であり、（ａ）は正面図、（ｂ）は（ａ）のＡ−Ａ線断面図である。図２は、ベース部２及び収容部３を示す斜視図である。図３は、ベース部２及び収容部３を示す図であり、（ａ）は正面図、（ｂ）は（ａ）のＢ−Ｂ線断面図であり、（ｃ）は（ｂ）の収容部３にカバー４を装着した状態を示す断面図である。図４は、カバー４を示す斜視図である。
【００２８】
ディスペンサー１は、ベース部２と、収容部３と、カバー４と、を備えている。ディスペンサー１の素材は、アクリル樹脂、塩化ビニル、ＰＥＴ樹脂又はアルミニウム等が好ましい。
【００２９】
ディスペンサー１は、二つ折りにした複数のティシュペーパー６を上下に重ね合わせた積層体を収容する容器７を収容する。ティシュペーパー６は、容器７の天面に設けられた取り出し口８を介して引き出される。ティシュペーパー６が引き出されると、摩擦によって隣接するティシュペーパー６がつられて、その一部が取り出し口８から立ち上がるように引き出される。なお、積層体は、ティシュペーパー６に限定されず、ワイパーやペーパータオル等の紙製品又は不織布製品、もしくはゴム手袋等のゴム製品を折り重ねたものであっても構わない。
【００３０】
ベース部２は、略コ字状に形成されており、底板２１と、底板２１の幅方向Ｘの両端からそれぞれ立設した一対の側板２２と、を備えている。ベース部２は、テーブル等の所望の場所に載置される。
【００３１】
底板２１の裏面２１ａの隅には、滑り止め部材２３が設けられている。滑り止め部材２３は、例えば樹脂製である。滑り止め部材２３は、ティシュペーパー６の引き出しに伴ってディスペンサー１が位置ズレすることを抑制する。
【００３２】
収容部３は、略コ字状に形成されており、底板３１と、前面３２と、後面３３と、を備えている。
【００３３】
底板３１は、底板２１との間にクリアランスＣを設けた状態で両端を側板２２に接合されている。クリアランスＣの高さは、ティシュペーパー６を引き出すスペースを確保できる範囲、例えば１０ｍｍ〜１００ｍｍの間で任意に設定される。なお、ティシュペーパー６を引き出すスペースを確保するために、クリアランスＣを設ける代わりに、例えば底板３１と容器７との間にスペーサを介在させても構わない。
【００３４】
前面３２は、底板３１の前後方向Ｙの前方端から垂直に立設し、両端を側板２２に接合されている。前面３２の長辺は、容器７の長辺の略１／２以上に設定されるのが好ましい。これにより、前面３２が容器７の天面を広範囲に亘って支持するため、ティシュペーパー６を引き出そうとする際に、容器７及びディスペンサー１が転倒することを抑制できる。
【００３５】
前面３２には、容器７が収容部３に収容された状態で容器７の取り出し口８に対応する位置にスリット３４が設けられている。スリット３４は、前面３２の長手方向に沿って延伸して形成されている。
【００３６】
後面３３は、底板３１の前後方向Ｙの後方端から垂直に立設し、両端を側板２２に接合されている。後面３３は、収容部３に収容された容器７の底面を支持する。
【００３７】
図１（ｂ）に示すように、容器７は、底板３１、前面３２、後面３３及び側板２２で囲まれた収容スペースＳに縦置きで収容される。なお、「縦置き」とは、容器７の取り出し口８の長手方向が水平方向に対して傾斜する姿勢を意味する。
【００３８】
収容スペースＳの幅寸法、すなわち、一対の側板２２の間隔は、容器７の幅寸法に応じて、例えば８０ｍｍ〜２００ｍｍの間で任意に設定される。また、収容スペースＳの奥行寸法、すなわち、前面３２と後面３３との間隔は、容器７の奥行寸法に応じて、例えば３０ｍｍ〜２００ｍｍの間で任意に設定される。
【００３９】
このように、容器７が収容部３内に収容されることにより、容器７がテーブル等の置場に直接触れないため、水分が容器７に染み込むことを抑制できる。また、容器７が縦置きでディスペンサー１に収容されることにより、ディスペンサー１を省スペースで設置することができる。また、ディスペンサー１は容易に持ち運びができる。
【００４０】
収容部３は、前面３２の上部３２ａが下部３２ｂに覆いかぶさるように傾斜した状態でベース部２に接合されている。具体的には、底板３１は、水平方向に対して所定の傾斜角度θだけ上方に傾斜した状態で側板２２に接合されている。また、前面３２、後面３３は、垂直方向Ｖに対して傾斜角度θだけ前方に傾斜した状態で側板２２に接合されている。これにより、容器７は、前方に傾斜角度θだけ傾斜した状態で収容部３に収容される。
【００４１】
傾斜角度θは、５〜４５度に設定される。これにより、手から落ちた水滴や汚れが容器７内に混入することを抑制できる。
【００４２】
また、好ましくは、傾斜角度θは、１０〜１５度に設定される。これにより、ティシュペーパー６を安定して引き出せるとともに、ティシュペーパー６を引き出す際にディスペンサー１が転倒することを抑制できる。
【００４３】
カバー４は、有底四角柱状に形成されており、天面４１と天面４１の周囲に設けられた前面４２、後面４３及び一対の側面４４を備えている。
【００４４】
カバー４は、前面３２及び後面３３の外側に嵌合可能である。カバー４が収容部３に嵌合すると、前面４２が支持片３５に支持されて、カバー４は位置決めされる。カバー４は、縦置きの容器７の全周を覆う。これにより、容器７の天面、底面及び側面から水が染み込むことを抑制できる。
【００４５】
前面４２には、容器７が収容部３に収容された状態で取り出し口８に対応する位置に開口部４５が設けられている。開口部４５は、取り出し口８よりも大きく形成されている。
【００４６】
ディスペンサー１には、収容スペースＳを拡縮可能なスペース調整手段５が設けられている。スペース調整手段５は、側板２２の内周面に垂直方向に対して傾斜角度θだけ傾斜して形成されたスライド溝５１と、スライド溝５１に着脱自在に嵌合される仕切板５２と、を備えている。スライド溝５１は、様々な容器７の奥行寸法に対応できるように２列設けられている。
【００４７】
図５に示すように、容器７の奥行寸法に応じた位置のスライド溝５１に仕切板５２を嵌合させることにより、収容スペースＳを容器７の大きさに応じて調整することができる。これにより、薄い容器７であっても、ティシュペーパー６を引き出す反動で容器７が収容部３内でバタつくことを抑制できる。なお、スペース調整手段５は、上述した構成に限定されず、例えば側板２２に着脱自在な仕切板を用意し、容器７の奥行寸法に応じて任意の位置に仕切板を設置するものであっても構わない。
【００４８】
ティシュペーパー６の積層体を収容する容器７を横向き、すなわち取り出し口８の長手方向を水平方向と平行にした状態を図６に示す。
【００４９】
図６に示すように、容器７を横置きで天面を前方に傾斜して置いた場合、取り出し口８から立ち上がったティシュペーパー６は自重で垂れてしまいがちである。そして、水滴や汚れが付いた手でティシュペーパー６を引き出すと、取り出し口８の周囲に水滴や汚れが付着してしまい、この水滴や汚れが自重で垂れたティシュペーパー６に付着しがちである。
【００５０】
一方、ディスペンサー１は、図１（ｂ）に示すように、容器７が縦置きで収容されていることにより、ティシュペーパー６が立ち上がった姿勢を維持しやすく、カバー４の前面４２に接触しにくくなっている。したがって、開口部４５の周囲に水滴や汚れが付着しても、この水滴や汚れがティシュペーパー６に付着することを抑制できる。
【００５１】
これにより、本実施形態に係るディスペンサー１は、容器７が収容部３内に収容されるとともにベース部２を介してテーブル等の所望の場所に置かれることにより、テーブル等が濡れていても水分が容器７に染み込むことを抑制できる。
【００５２】
また、ベース部２はテーブル等に固定されないため、ディスペンサー１は容易に持ち運びできて任意の場所に置くことができる。さらに、容器７が縦置きでディスペンサー１に収容されることにより、ディスペンサー１を省スペースで設置することができる。
【００５３】
また、容器７が前方に傾斜角度θだけ傾斜して収容されることにより、手から落ちた水滴や汚れの混入を抑制することができる。また、容器７の取り出し口８から立ち上がったティシュペーパー６が自重で垂れにくいため、取り出し口８の周囲に水滴や汚れが付着した場合であっても、この水滴や汚れがティシュペーパー６に付着することを抑制できる。
【００５４】
また、本発明は、本発明の精神を逸脱しない限り、上記以外にも種々の改変を為すことができ、そして、本発明が該改変されたものに及ぶことは当然である。
【符号の説明】
【００５５】
１    ・・・ディスペンサー
２    ・・・ベース部
２１  ・・・（ベース部の）底板
２１ａ・・・裏面
２２  ・・・（ベース部の）側板
２３  ・・・滑り止め部材
３    ・・・収容部
３１  ・・・（収容部の）底板
３２  ・・・（収容部の）前面
３２ａ・・・上部
３２ｂ・・・下部
３３  ・・・（収容部の）後面
３４  ・・・スリット
３５  ・・・支持片
４    ・・・カバー
４１  ・・・天面
４２  ・・・（カバーの）前面
４３  ・・・（カバーの）後面
４４  ・・・（カバーの）側面
４５  ・・・開口部
５    ・・・スペース調整手段
５１  ・・・スライド溝
５２  ・・・仕切板
６    ・・・ティシュペーパー
７    ・・・容器
８    ・・・取り出し口
Ｃ    ・・・クリアランス
Ｓ    ・・・収容スペース
Ｖ    ・・・垂直方向
Ｘ    ・・・幅方向
Ｙ    ・・・前後方向
θ    ・・・傾斜角度
【図１】
2019131200.tif 000003
【図２】
2019131200.tif 000004
【図３】
2019131200.tif 000005
【図４】
2019131200.tif 000006
【図５】
2019131200.tif 000007
【図６】
2019131200.tif 000008